(57)【要約】【課題】コイル巻回用筒部に巻回した多数のコイルの各一端部をピン植設部に設けた内外各列に属する端子ピンに接続する際の作業上の負担を小さくし、小形化と低コスト化を可能にする。【解決手段】ピン植設部２０の内外各列の隣接する端子ピン１９の間に、コイル巻回用筒部１７に巻回した多数のコイル２２の外列に属する端子ピン１９との接続を必要とする各一端部を夫々個別に内側から外側に向けて挿通させて、外列に属する端子ピン１９に接続するためのコイル端部配置用貫通穴２１を夫々設ける。【選択図】        図１
2004260089.tif 000002
【特許請求の範囲】
【請求項１】
外周面を多数のコイルの巻回箇所にし、中心穴をコア挿入箇所にするコイル巻回用筒部の両端に鍔部を夫々設け、その少なくとも一方の鍔部に多数の端子ピンを植設したピン植設部を設けて、そのピン植設部に多数の端子ピンを内外１本ずつ対にし、内外の２列に並べて配置してなる多ピンボビンであって、上記ピン植設部の内外各列の隣接する端子ピン間に、コイル巻回用筒部に巻回した多数のコイルの外列に属する端子ピンとの接続を必要とする各一端部を夫々個別に内側から外側に向けて挿通させて、外列に属する端子ピンに接続するためのコイル端部配置用貫通穴を夫々設けることを特徴とする多ピンボビン。
【請求項２】
請求項１記載の多ピンボビンを用いることを特徴とする小型トランス。
【発明の詳細な説明】
【０００１】
【発明の属する技術分野】
本発明は電子回路等に用いる多数の端子ピンを植設した多ピンボビン並びに小型トランスに関する。
【０００２】
【従来の技術】
従来、プリント基板等に実装して用いる多出力のスイッチング電源用小型トランスには多数の端子ピンを植設した多ピンボビンが使用されている。この多ピンボビンは例えば外周面を多数のコイルの巻回箇所にし、中心穴をコア挿入箇所にするコイル巻回用筒部の両端に鍔部を夫々設け、その各鍔部に多数の端子ピンを植設したピン植設部を夫々設けたものである。そして、図７に示すように多ピンボビン１の各ピン植設部２（２ａ、２ｂ）に多数例えば１４本の端子ピン３を１列に並べて夫々配置する。しかし、このように１列に並べて配置すると、各ピン植設部２の長手方向が当然長くなる。なお、４はコイル巻回用筒部である。
【０００３】
そこで、ピン植設部の長手方向を短くしたい場合には、図８に示すように多ピンボビン５の各ピン植設部６（６ａ、６ｂ）に例えば１５本の端子ピン７を内外の２列に並べ、千鳥型にして配置する。しかし、このように並べて配置すると、各ピン植設部６に設ける端子ピン７の数が奇数本になり偶数本にできないため、無駄なスペースが発生し、小形化の上で不利となる。なお、８はコイル巻回用筒部、９はそのコイル巻回用筒部８に近い内列の隣接する端子ピン７の間に設けたコイル端部配置溝である。
【０００４】
そこで、ピン植設部の長手方向を短くし、その各ピン植設部に端子ピンを偶数本設ける場合には、図９に示すように多ピンボビン１０の各ピン植設部１１（１１ａ、１１ｂ）に例えば１４本の端子ピン１２を内外１本ずつ対にし、内外の２列に並べて配置する。なお、１４は各ピン植設部１１の内外各列の隣接する端子ピン１２の間に設けたコイル端部配置溝である。
【０００５】
そして、多ピンボビン１０の筒部１３に巻回した多数のコイルの各一端部を両ピン植設部１１に設けた内外２列の端子ピン１２に夫々接続する際には、対となる内外端子ピン１２に夫々接続するコイルの一端部を、通常その近傍にある同一のコイル端部配置溝１４に一緒に入れて一対の内外端子ピン１２まで導く。その際、一対の内外端子ピン１２に夫々接続するコイル端部を配置溝１４の両内側コーナ縁の対応箇所に掛けて位置決めした後に配置溝１４に入れている。
【０００６】
【発明が解決しようとする課題】
しかしながら、このような多ピンボビン１０の各ピン植設部１１の長手方向が例えば２０〜３０ｍｍと短いものでは、内外各列の隣接する端子ピン１２の間に、コイルの一端部たるリード線を２本入れる配置溝１４を夫々設けようとすると、成形上の負担が大きくなる。又、コイルには通常リード線としてエナメル被覆線を用いるため、同一配置溝１４に嵌まる２本のリード線を一対の内外端子ピン１２に夫々からげた後に半田付けを行なうと、そのままでは一方のコイル端部を内側の端子ピン１２に半田付けする際に、その半田が同一配置溝１４に入っている他方のコイル端部と接触してショートが発生し易い。そこで、通常は同一配置溝１４に嵌まるいずれか一方のコイル端部にシリコンゴム、ポリイミド等の絶縁チューブを被せている。しかし、絶縁チューブを必要とするので、当然作業上の負担が大きく、低コスト化できない。
【０００７】
本発明はこのような従来の問題点に着目してなされたものであり、筒部に巻回した多数のコイルの各一端部をピン植設部に設けた内外各列に属する端子ピンに接続する際の作業上の負担を小さくし、小形化と低コスト化が可能な多ピンボビン並びに小型トランスを提供することを目的とする。
【０００８】
【課題を解決するための手段】
上記目的を達成するために、本発明による多ピンボビンは外周面を多数のコイルの巻回箇所にし、中心穴をコア挿入箇所にするコイル巻回用筒部の両端に鍔部を夫々設け、その少なくとも一方の鍔部に多数の端子ピンを植設したピン植設部を設けて、そのピン植設部に多数の端子ピンを内外１本ずつ対にし、内外の２列に並べて配置する。そして、上記ピン植設部の内外各列の隣接する端子ピン間に、コイル巻回用筒部に巻回した多数のコイルの外列に属する端子ピンとの接続を必要とする各一端部を夫々個別に内側から外側に向けて挿通させて、外列に属する端子ピンに接続するためのコイル端部配置用貫通穴を夫々設ける。
【０００９】
又、本発明による小型トランスは上記多ピンボビンを用いると好ましくなる。
【００１０】
【発明の実施の形態】
以下、添付の図１〜６を参照して、本発明の実施の形態を説明する。
図１は本発明を適用した多ピンボビンの筒部に巻回した１コイルの両端部を一対の内外端子ピンに接続した状態を示す底面図、図２はその多ピンボビンのコイル巻回前の正面図、図３はその側面図、及び第４図はその底面図である。この多ピンボビン１５は多出力のスイッチング電源用小型トランス等に用いるため、その躯体を前後、左右対称にして例えばフェノール樹脂製にし、多ピンボビン１０とほぼ同一の構成にする。そして、多ピンボビン１５には多ピンボビン１０と同様に、外周面を多数のコイルの巻回箇所にし、中心穴１６をコア挿入箇所にするコイル巻回用筒部１７の両端に大略正方形板状の鍔部１８（１８ａ、１８ｂ）を夫々設け、その各鍔部１８の下端部に多数の端子ピン１９を植設した直方体状のピン植設部２０（２０ａ、２０ｂ）を夫々設けて、その各ピン植設部２０に多数例えば１４本の金属製端子ピン１９を内外１本ずつ対にし、内外の２列に並べて配置する。
【００１１】
しかし、多ピンボビン１０では各植設部１１に内外１本ずつ対にし、２列に並べて配置した内外各列の隣接するピン１２の間に、コイル端部配置溝１４を夫々設けるのに対し、多ピンボビン１５ではそのような配置溝を設けずに、各ピン植設部２０の内外各列の隣接する端子ピン１９の間に、コイル巻回用筒部１７に巻回した多数のコイルの外列に属する端子ピン１９との接続を必要とする各一端部を夫々個別に内側から外側に向けて挿通させて、外列に属する端子ピン１９に接続するためのコイル端部配置用貫通穴２１を夫々設ける。その際、各コイル端部配置用貫通穴２１はいずれもその径をコイル端部たるリード線が１本通過するだけの大きさにすればよい。それ故、隣接する端子ピン１９の間にコイル端部配置用貫通穴２１を夫々設け易く、多ピンボビン１５が成形し易くなるため、小形化が容易となる。
【００１２】
このような多ピンボビン１５のコイル巻回用筒部１７の軸線を水平に配置した時、各鍔部１８をその軸線に対して垂直にし、その各鍔部１８の下端部に設けるピン植設部２０は前方向又は後方向に突出させて、その突出長を短くし、更に左右方向に長く夫々突出する。そして、その各ピン植設部２０の下面のほぼ全体に分散するようにして内外１本ずつ対にし、内外の２列に並べて配置した各端子ピン１９を垂直下方に突設する。すると、各ピン植設部２０の内外各列の隣接するピン１９の間に設けたコイル端部配置用貫通穴２１をいずれもピン植設部２０の垂直方向の厚み中央を貫通させて、コイル巻回用筒部１７の軸線と平行にし、しかもその貫通穴２１同士を互いに平行に配置できる。それ故、各コイル端部配置用貫通穴２１の一方の口がコイル巻回用筒部１７の前端又は後端付近に夫々開口し、他方の口が外列に属する端子ピン１９の付近に夫々開口する。
【００１３】
そして、多ピンボビン１５の筒部１７に多数のコイルを巻回し、その中の例えばコイル２２の両端部をピン植設部２０ａに設けた右側から３番目の一対の内外端子ピン１９に接続する場合、そのコイル２２の一端部を内側端子ピン１９に導いてからげた後、そのコイル２２の他端部を左側に隣接する貫通穴２１を挿通して配置し、外側端子ピン１９に導いてからげる。すると、コイル２２の他端部を貫通穴２１に挿通してあるため、コイル２２の一端部を内側端子ピン１９に半田付けする際、その半田がコイル２２の他端部と接触してショートが発生することがない。しかも、コイル２２の一方の端部を覆う絶縁チューブを必要としないので、作業上の負担が小さく、当然低コスト化も可能になる。
【００１４】
このようにして、多ピンボビン１５に巻回した多数コイルの各端部を対応する端子ピン１９に夫々からげて半田付けすると、多ピンボビン１５が完成する。そこで、多出力のスイッチング電源用トランスを構成する場合、その多ピンボビン１５に対し、図５に示すように２個のＥ型コア２３（２３ａ、２３ｂ）を装着する。その際、図６に示すように多ピンボビン１５の筒部１７の中心穴１６の内部に両側からＥ型コア２３の中脚２４（２４ａ、２４ｂ）を夫々挿入して、先端同士を接触させる。なお、両Ｅ型コア２３の外脚２５｛２５ａ（２５ａ１、２５ａ２）、２５ｂ（２５ｂ１、２５ｂ２）｝は多数のコイルを巻回した筒部１７の左右の外側に配置して、やはり先端同士を接触させる。このようにして完成した多出力のスイッチング電源用トランスは小形化し、低コスト化できる。そして、使用時にはプリント基板等に実装して用いる。
【００１５】
【発明の効果】
以上説明した本発明によれば、請求項１記載の発明では各コイル端部配置用貫通穴の径をいずれもコイルの一端部たるリード線が１本通過するだけの大きさにすればよい。それ故、ピン植設部の内外各列の隣接する端子ピン間にコイル端部配置用貫通穴を夫々設け易く、多ピンボビンの成形を行い易くなって、多ピンボビンを小形化することができる。
【００１６】
そして、多ピンボビンの筒部に巻回した多数のコイルの外列に属する端子ピンとの接続を必要とする各一端部を夫々個別に内側から外側に向けてコイル端部配置用貫通穴内に挿通して配置し、その外列に属する端子ピンまで夫々導いて接続することができる。このため、外端子ピンと対になる内端子ピンにコイルの一端部を接続して半田付けする際に、その半田が外端子ピンに接続するコイルの一端部と接触することがない。それ故、従来のようにコイルの一端部を覆う絶縁チューブを必要とせず、作業上の負担が小さくなり、低コスト化することができる。
【００１７】
又、請求項２記載の発明では請求項１記載の多ピンボビンを用いるため、トランスを小形化し、低コスト化することができる。
【図面の簡単な説明】
【図１】本発明を適用した多ピンボビンの筒部に巻回した１コイルの両端部を一対の内外端子ピンに接続した状態を示す底面図である。
【図２】同多ピンボビンのコイル巻回前の状態を示す正面図である。
【図３】同多ピンボビンの側面図である。
【図４】同多ピンボビンの底面図である。
【図５】同多ピンボビンに２個のＥ型コアを装着した多出力のスイッチング電源用トランスの組立過程を示す側面図である。
【図６】同多出力のスイッチング電源用トランスの組立過程を示す平面図である。
【図７】従来の多ピンボビンの一実施形態を示すコイル巻回前の底面図である。
【図８】
従来の多ピンボビンの他の一実施形態を示すコイル巻回前の底面図である。
【図９】
従来の多ピンボビンの他の一実施形態を示すコイル巻回前の底面図である。
【符号の説明】
１５…多ピンボビン  １６…筒部中心穴  １７…コイル巻回用筒部  １８…鍔部  １９…端子ピン  ２０…ピン植設部  ２１…コイル端部配置用貫通穴  ２２…コイル  ２３…Ｅ型コア  ２４…中脚  ２５…外脚
【図１】
2004260089.tif 000003
【図２】
2004260089.tif 000004
【図３】
2004260089.tif 000005
【図４】
2004260089.tif 000006
【図５】
2004260089.tif 000007
【図６】
2004260089.tif 000008
【図７】
2004260089.tif 000009
【図８】
2004260089.tif 000010
【図９】
2004260089.tif 000011